(57)【要約】      （修正有）【課題】倣い加工時において、被削材の面粗さを改善する刃先交換式の仕上げ用ラジアスエンドミルを提供する。【解決手段】刃先交換式仕上げ用ラジアスエンドミル１において、該インサート３の切刃の形状は、外周側の該円弧状切刃の半径をｒ１とし、工具直径をＤとした時、０．３１Ｄ≦ｒ１≦０．４５Ｄ、Ｄ≧８ｍｍで形成され、該円弧状切刃の最下点において同一接線を有し、回転軸中心に向かう内周刃の半径がｒ２を有する他の円弧状切刃が形成され、ｒ１＞ｒ２の関係を有して形成されている刃先交換式仕上げ用ラジアスエンドミルである。【選択図】図１
2005319558.tif 000002
【特許請求の範囲】
【請求項１】
軸線回りに回転される工具本体の先端部に、該軸線を含む平面方向に延びるスリット状のインサート取付座が形成され、このインサート取付座に、外周側に略円弧状に延びる切刃を備えたインサートが、該切刃を工具先端側に突出させて着脱可能に取り付けられてなる刃先交換式仕上げ用ラジアスエンドミルにおいて、該インサートの切刃の形状は、外周側の該円弧状切刃の半径をｒ１とし、工具直径をＤとした時、０．３１Ｄ≦ｒ１≦０．４５Ｄ、Ｄ≧８ｍｍで形成され、該円弧状切刃の最下点において同一接線を有し、回転軸中心に向かう内周刃の半径がｒ２を有する他の円弧状切刃が形成され、ｒ１＞ｒ２の関係を有して形成されていることを特徴とする刃先交換式仕上げ用ラジアスエンドミル。
【請求項２】
請求項１記載の刃先交換式仕上げ用ラジアスエンドミルにおいて、該インサートの該他の円弧状切刃の半径ｒ２が、０．１≦ｒ２≦５（ｍｍ）の関係を有して形成されていることを特徴とする刃先交換式仕上げ用ラジアスエンドミル。
【発明の詳細な説明】
【技術分野】
【０００１】
本発明は、刃先交換式仕上げ用ラジアスエンドミルにおける切屑形成の形態と排出改善に関するものであり、特に工具ホルダーの剛性を維持したまま、切削加工における切屑の工具及び被削材への溶着を防止する切屑収納溝を備えるとともに、切屑排出に適した一定形状の切屑を形成するのに適した切刃を備えた刃先交換式仕上げ用ラジアスエンドミルに関するものである。
【背景技術】
【０００２】
プレス型やプラ型等の金型仕上げ加工では、ボールエンドミル等の切削工具を用いて倣い加工を行う。この倣い加工の時は、被削材の表面は平坦な領域と凹凸を有する領域とが共存している。最終的な仕上げ面粗さの狙い値が５μｍ程度になるように加工条件を設定するが、実際の加工後はこの狙い値とは異なり、約２０〜３０μｍ前後の面粗さを示すため、金型の品質としての面粗さを満足することが出来ず、後工程で手作業による磨き加工が行われる。これは、工具形状及びピックフィードにより定義される面粗さの理論値が、工具形状及び加工条件より算出されるものであることから、この理論値と測定値とに大きな差が生じるためである。この面粗さの差が生じる原因は、切削工具と被削材との間において擦れや溶着などが発生し、被削材面粗さに悪影響を与え、時には切削工具の切刃部に生じるチッピングや欠損が原因となる場合もある。そこで、特許文献１、２に切刃部の形状に工夫を加え、被削材面粗さの改善又は切刃部のチッピングや欠損を回避するための技術が開示されている。
特許文献１は、仕上げ加工用に用いるスローアウエイ式エンドミルにおいて、切刃部の形状が、外周刃と略垂直に位置する底刃と、底刃コーナーに外周刃と底刃に接する略１／４円弧からなるコーナーアール刃とを備えた切刃チップを記載している。更に、底刃は僅かな中低勾配をもつことが開示されている。しかし、底刃は僅かな中低勾配しか持たないため、被削材と工具間では切屑の噛み込みや、擦れや溶着が発生し、平面加工における仕上げ加工では一般的なボールエンドミルと同等程度の表面粗さとなってしまう。
特許文献２は、ラジアスエンドミルの回転軸中心近傍に中低勾配を有する内周刃を設けた技術が開示されている。この技術により、工具先端に周速が零となる点を作らないことから耐欠損性を向上させ、工具の長寿命化を提案している。しかしながら、上記形状では、工具の最下点、即ち周速が零ではないが非常に遅い速度で被削材と工具が接触する点があり、擦れや溶着を完全には抑制することが出来ずい。特許文献２には、被削材の面粗さの改善案については何ら考察がなされていない。
特許文献３、４には、インサートの固定方法に関する技術が開示されている。特許文献３は、インサートを工具本体に強固に固定する技術がボールエンドミル、ラジアスエンドミルなどについて開示されている。特許文献４でも、インサートの取り付け精度向上に関する技術が開示されている。
【０００３】
【特許文献１】特開平８−２８１５１３号公報
【特許文献２】特開平１１−７０４０５号公報
【特許文献３】特開平１１−２３９９１１号公報
【特許文献４】実開平６−５３０１２号公報
【発明の開示】
【発明が解決しようとする課題】
【０００４】
本発明は、刃先交換式の仕上げ用ラジアスエンドミルにおいて、被削材の表面が平坦な領域や凹凸を有する領域などが共存している倣い加工時においても、被削材の面粗さを改善することである。このため。切削工具と被削材との間において生じる擦れや溶着などの発生を防止し、切削工具の切刃部の強度を改善して耐チッピングや耐欠損を改善した刃先交換式の仕上げ用ラジアスエンドミルを提供することにある。
【課題を解決するための手段】
【０００５】
本発明のラジアスエンドミルは、軸線回りに回転される工具本体の先端部に、該軸線を含む平面方向に延びるスリット状のインサート取付座が形成され、このインサート取付座に、外周側に略円弧状に延びる切刃を備えたインサートが、該切刃を工具先端側に突出させて着脱可能に取り付けられてなる刃先交換式仕上げ用ラジアスエンドミルにおいて、該インサートの切刃の形状は、外周側の該円弧状切刃の半径をｒ１とし、工具直径をＤとした時、０．３１Ｄ≦ｒ１≦０．４５Ｄ、Ｄ≧８ｍｍで形成され、該円弧状切刃の最下点において同一接線を有し、回転軸中心に向かう内周刃の半径がｒ２を有する他の円弧状切刃が形成され、ｒ１＞ｒ２の関係を有して形成されていることを特徴とする刃先交換式仕上げ用ラジアスエンドミルである。本構成を採用することによって、被削材の表面が平坦な領域や凹凸を有する領域などが共存している倣い加工時においても、被削材の面粗さを改善することができる。更に切削工具と被削材との間において生じる擦れや溶着などの発生を防止し、切削工具の切刃部の強度を改善して耐チッピングや耐欠損を改善し、被削材面粗さを改善することができる。
【０００６】
本発明の刃先交換式の仕上げ用ラジアスエンドミルは、インサートの他の円弧状切刃の半径ｒ２が、０．１≦ｒ２≦５（ｍｍ）の関係を有して形成されていることが好ましい。
【発明の効果】
【０００７】
本発明は、被削材の表面が平坦な領域や凹凸を有する領域などが共存している倣い加工時においても、被削材の面粗さを改善する。切削工具と被削材との間において生じる擦れや溶着などの発生を防止し、切削工具の切刃部の強度を改善して耐チッピングや耐欠損を改善した刃先交換式の仕上げ用ラジアスエンドミルを提供することができる。本発明の適用によって被削材面粗さを改善することができる。
【発明を実施するための最良の形態】
【０００８】
図１から図４に本発明の刃先交換式仕上げ用ラジアスエンドミルの実施例を図示する。図１は刃先交換式仕上げ用ラジアスエンドミルの正面図であり、図２は本発明の刃先交換式仕上げ用ラジアスエンドミルのインサートの正面図、図３はインサートの側面図である。図４に示す様に、本発明の刃先交換式仕上げ用ラジアスエンドミルに装着するインサートの切刃の形状は、外周側の該円弧状切刃の半径をｒ１、円弧中心をｆとし、工具直径をＤとした時、０．３１Ｄ≦ｒ１≦０．４５Ｄで形成されている。これは、ｒ１が０．３１Ｄ未満の場合はｒ１が小さすぎて、傾斜面の加工において良好な面粗さが得られないためである。またｒ１が０．４５Ｄを超えて大きい場合は半径が大きすぎて、円弧状切刃の最下点において十分な周速度を得られないため、被削材表面の面粗さが悪化するためである。好ましくはｒ１は０．３３Ｄ程度に設定すると良好な被削材表面の面粗さが得られる。ここで、本発明の工具直径Ｄはφ８ｍｍ以上を対象とする。また、該円弧状切刃の最下点において同一接線を有し、回転軸中心に向かう内周刃の半径がｒ２、円弧中心をｇとする他の円弧状切刃が形成され、ｒ１＞ｒ２の関係を有して形成されることが必要である。工具回転軸中心の形状が中低部を有する形状となることで、工具最下点の周速が０となる点を排除し、ｒ１とｒ２とを規定して、更にｒ１＞ｒ２の関係を有する切刃を形成することにより、高品質な被削材の表面粗さを得ることが可能である。特に、ｒ２を有する内周刃を備えている事は、被削材の表面に凹凸を有する倣い加工時において、被削材の面粗さを改善することに有効である。これは、工具最下点における切刃のすかし形状が、被削材の表面粗さに悪影響を及ぼさない程度に形成でき、切刃の耐チッピングや耐欠損性に好適に作用するからである。ここで、円弧中心ｆとｇは、工具最下点ｃの接線に垂直な直線上にある。
図３に示す様に、本発明の仕上げ用ラジアスエンドミルの切刃形状は直刃形状とし、すくい面を平らな面とすることが好ましい。この理由は、仕上げ用工具においては、刃先強化を行うよりも切れ味を向上させ、切削抵抗を低減させる必要性があることによる。また、すくい角を０度とすることが好ましい。これによって、切削抵抗を更に低減させることができる。
【０００９】
図４、５に示す様に、工具内周刃のｒ２は、０．１≦ｒ２≦５（ｍｍ）の関係を有して形成されていることが好ましい。上記の範囲内に規定することで、被削材の仕上面の品質を向上させることが可能である。これは、内周刃を上記の範囲内に規定することで、切刃と被削材との接触長さを低減させ、ビビリ振動やチッピングの発生を抑制するとともに、切屑の噛み込みによるキズの発生を低減する効果がある。より好ましくは２≦ｒ２≦３（ｍｍ）に設定すると良い。切刃の最下点から回転軸中心に向かって内周側に向かう円弧状の内周刃の１部が直線状をなし、該直線が円弧状内周刃における点ｄの接線となっている場合、該直線が切刃の最下点における接線となす角度をθ１（以下、スカシ角度と称する。）。ここで、θ１は、５≦θ１≦３０度に設定することが好ましい。これによって、被削材の表面が凹凸を有する倣い加工時の傾斜切込みにも適切に対応することが可能となる。θ１を５度未満にすると、内周刃と被削材表面との距離が接近し、内周刃の切屑噛み込みにより、被削材表面にキズが発生する不都合が生じるためである。また、θ１が３０度を超えて大きい場合には、内周刃が工具軸方向に伸び、工具の作成が困難になる。また、傾斜切込みにおいて内周刃と被削材との距離が広くなり、ビビリ振動やチッピングの発生する不都合が生じるためである。より好ましくは８≦θ１≦１５度に設定することが好ましい。また、θ１は幾何学的に、半径がｒ２を有する円弧中心ｇに形成される中心角と同値である。
【００１０】
図６、７に示す様に、本発明の刃先交換式仕上げ用ラジアスエンドミルに装着するインサートの切刃の形状は、外周刃である該円弧状切刃から工具最下点ｃを通って内周刃である該他の円弧状切刃に向かうに従って、法線方向の逃げ角が大きくなることが好ましい。これは、工具外周刃から最下点ｃを通って内周刃に至る各点において、工具回転数が一定の場合、切削速度が異なるためである。切削速度が異なる場合、逃げ角が一定だと工具の摩耗量が切刃各点において異なる。一方で、工具寿命は摩耗量が最も大きくなる時点で判定されるため、夫々切削速度が異なる点において適切な法線方向の逃げ角を設定することで、工具寿命の長寿命化及び高品質な面粗さを得ることが出来る。ここで言う法線方向の逃げ角とは、例えば図６におけるＢ−Ｂ断面を示した図７の様に、切刃の法線と切刃とのなす角度θ３によって示される。θ３は、外周刃である該円弧状切刃から最下点ｃを通って内周刃である該他の円弧状切刃に向かうに従って大きくなることが好ましいが、更にθ３は夫々の切刃領域毎に好適な値を有することが好ましい。そこで図６で示される切刃を５つの領域に分割した。第１の直線Ｌ１の領域は、切刃の最外周点ａからバックテーパ角度βを有して回転軸方向に延びる外周刃領域を示し、この領域のθ３をＬ１（θ３）で表す。同じく第２の曲線Ｒ１ａの領域は、切刃の最外周点ａから最下点ｃに向かう円弧部領域を示し、この領域のθ３をＲ１ａ（θ３）で表す。第３の曲線Ｒ１ｂ領域は、最下点ｃから最外周点ａに向かう円弧部領域を示し、この領域のθ３をＲ１ｂ（θ３）で表す。第４の曲線Ｒ２領域は、切刃の最下点ｃから円弧中心ｇに形成される中心角θ１で形成される円弧部領域を示し、この領域のθ３をＲ２（θ３）で表す。第５の直線Ｌ２領域は、直線状をなす内周刃領域を示し、この領域のθ３をＬ２（θ３）で表す。この時、Ｌ１（θ３）≦Ｒ１ａ（θ３）＜Ｒ１ｂ（θ３）≦Ｒ２（θ３）≦Ｌ２（θ３）の関係を有して形成されていると良い。好ましくは、Ｌ１（θ３）が、３≦Ｌ１（θ３）≦１３度、Ｒ１ａ（θ３）が、３≦Ｒ１ａ（θ３）≦１３度、Ｒ１ｂ（θ３）が、５≦Ｒ１ｂ（θ３）≦１５度、Ｒ２（θ３）が、５≦Ｒ２（θ３）≦１５度、Ｌ２（θ３）が、７≦Ｌ２（θ３）≦１７度である。更に、より好ましくは、Ｌ１（θ３）が、５≦Ｌ１（θ３）≦９度、Ｒ１ａ（θ３）が、５≦Ｒ１ａ（θ３）≦９度、Ｒ１ｂ（θ３）が、７≦Ｒ１ｂ（θ３）≦１１度、Ｒ２（θ３）が、７≦Ｒ２（θ３）≦１１度、Ｌ２（θ３）が、９≦Ｌ２（θ３）≦１３度にすると良い。
上記の様に数値規定を行う理由は、以下の通りである。即ち、Ｌ１領域やＲ１ａ領域のθ３は切削速度が高いため、θ３が小さいと摩耗進行が早く進み、逆にθ３が大きすぎるとチッピング等が発生するためである。また、Ｒ１ｂ領域やＲ２領域においては切削速度が低いため、逃げ角を小さくすることで工具と被削材の接触面を減少させ、切削抵抗を低下させることが出来る。この領域では外周刃領域よりも小さなθ３を有することが望ましい。また、切屑の噛み込み防止のため、直線Ｌ２領域のθ３は、Ｒ１ｂ領域やＲ２領域のθ３よりも小さなθ３を有することが望ましい。上記の場合において、曲線Ｒ１ａと曲線Ｒ１ｂの円弧長さの和は、点ｆを中心とした半径ｒ１の円周の１／４に相当し、曲線Ｒ１ａ領域から曲線Ｒ１ｂ領域に移行する途中には、点ａから点ｃへ向かう間に位置する境界点ｂによって両者が区別される。また、曲線Ｒ１ｂの円弧を形成する中心角をθ２とすると、曲線Ｒ１ａの円弧を形成する中心角は、９０−θ２で表される。更にθ２の角度範囲は、１０≦θ２≦４５度に規定することが好ましい。θ２を上記の範囲に規定する理由は、θ２が１０度未満の場合には、境界点ｂでの周速が遅いため、好適なθ３を得ることが出来ない。また、θ２が４５度を超えて大きい場合には、点ｂにおける切刃の周速が速くなり、ここでも好適なθ３を得ることが出来ないためである。
【００１１】
本発明のラジアスエンドミルは、２番逃げの角度を有することも可能である。図７に示す様に、２番逃げの角度をθ４とすると、θ４は１５≦θ４≦３０度の範囲にすることが好ましい。この理由は、工具ヒール部と被削材とが接触する可能性を回避するためである。切刃稜線部から２番逃げの開始点までの距離Ｈは、工具直径に依存して変化させる必要がある。Ｈ値、１／１００Ｄ≦Ｈ≦１／１０Ｄの範囲とすると良い。
【実施例】
【００１２】
本発明例１から１２の仕上げ用ラジアスエンドミルのインサートを超硬合金にて作製し、金型加工を想定し、被削材表面に傾斜部と平坦部とを併せ持つ倣い加工における切削試験を行った。また、比較例１４、１５のインサートも作製した。夫々の切刃形状の仕様を表１に示した。また、従来例１６のラジアスエンドミルは、工具径がφ３０ｍｍ、コーナーＲ切刃の円弧半径が３ｍｍのものを使用し、従来例１７のボールエンドミルは、工具径がφ３０ｍｍ、切刃の円弧半径が１５ｍｍのものを使用した。評価対象は、被削材の平坦加工部及び傾斜角５度の加工面部とし、各工具での仕上面の最大表面粗さＲｍａｘ値を評価した。表１に各工具での最大表面粗さも併記した。なお、切削条件の半径方向切込み量は、試験対象とする工具の直径に対して適切な値を規定し、試験を行った。
【００１３】
【表１】
2005319558.tif 000003
【００１４】
（切削条件）
加工方法：倣い加工による仕上げ加工
被削材  ：Ｓ５０Ｃ、硬さはＨＢ２２０
軸方向切込み量：０．３ｍｍ
半径方向切込み量：工具直径Ｄが３０ｍｍの時、０．８ｍｍ
工具直径Ｄが２０ｍｍの時、０．６ｍｍ
工具直径Ｄが１０ｍｍの時、０．４ｍｍ
工具直径Ｄが８ｍｍの時、０．３ｍｍ
切削速度：２００ｍ／ｍｉｎ
１刃当りの送り量：０．３７５ｍｍ／刃
切削油：無し、乾式切削
表１より、本発明例１から４は工具直径をφ３０、φ２０、φ１０、φ８と変化させ、それに伴ってｒ１値を設定し、その他の工具形状パラメータは同一の値とした工具を製作した。切削試験結果より、本発明が規定したパラメータの範囲内において、工具直径を変化させた場合でも、仕上面最大粗さが１０μｍ以下を示し、良好な被削材の表面状態を得られた。この被削材表面の状態は平坦部、傾斜部共に良好な面粗さであった。これに対して、比較例１４及び１５は、本発明例１のｒ１値以外の工具形状パラメータは同一の値とした工具である。表１の結果より、比較例１４及び１５は、内周刃を備えることによって５度傾斜部の加工に対応はできたものの、比較例１４のｒ１が８．５ｍｍの設定と小さすぎるため、傾斜部において十分なＲｍａｘを得ることが出来なかった。また、比較例１４はｒ１が１４ｍｍの設定と大きすぎたため、工具最下点において周速を十分に得ることが出来ず、被削材の表面にキズが発生し、Ｒｍａｘが悪化した。
本発明例１３は、ｒ１を１３．５ｍｍに設定したことにより、被削材表面の面粗さの劣化を満足できるレベルに抑えることができた。また、従来例１６では、傾斜部において満足の行く面粗さを得られなかった。これは、工具最下点から回転軸中心に向かう内周刃において、面粗さの改善に対する配慮がなされていないためであると考えられる。従来例１７でも、平坦部、傾斜部共に満足の行く面粗さを得られなかった。本発明例５、６は、本発明例１に対してθ１を変えた工具である。本発明例５ではθ１が５度、本発明例６ではθ１が３０度として工具の製作を行った。表１より、本発明例５、６は本発明例１よりも若干大きなＲｍａｘを示したが、十分な被削材表面粗さを得ることが出来た。但し、θ１をより大きな値に設定した場合には、より大きなＲｍａｘを示すことが予想される。これは、θ１が３０度を超えて大きい場合では、びびり振動やチッピングが発生するためである。一方、θ１が５度未満の場合では、工具の内周切刃と被削材表面との間隔が狭くなり、切屑の噛み込みが発生する不都合が考えられる。
本発明例７はθ２を１０度、本発明例８はθ２を４５度として工具の製作を行い、本発明例１に対してθ２のみを変化させた。表１の試験結果より、θ２が１０≦θ２≦４５度の範囲内であれば、良好な仕上面粗さが得られることを確認した。本発明例９から１２は、本発明例１のｒ２値以外の工具形状パラメータは同一の値とした工具である。本発明例９はｒ２を０．０２ｍｍ、本発明例１０はｒ２を０．２ｍｍ、本発明例１１はｒ２を４ｍｍ、本発明例１２はｒ２を６ｍｍとした。表１より、本発明例９では、工具最下点の工具切刃稜線がｒ１からｒ２に変化する点において、ｒ２が小さすぎるために平坦部の加工において被削材表面にキズが発生した。また、本発明例１０では、本発明例９のｒ２よりも大きな値であったため、被削材表面にキズは発生せず、良好な面粗さを示した。本発明例１１では、本発明例１０と同様に、良好な被削材面粗さを示したが、本発明例１２では、切屑の噛み込みによるキズが発生し、被削材の面粗さに悪影響を与えた。
【図面の簡単な説明】
【００１５】
【図１】図１は、本発明の刃先交換式仕上げ用ラジアスエンドミルの正面図を示す。
【図２】図２は、本発明のインサートの正面図を示す。
【図３】図３は、図２に示すインサートの側面図を示す。
【図４】図４は、図２に示すインサートに符号を付けた説明図を示す。
【図５】図５は、図２に示すインサートの最下点近傍を拡大した説明図を示す。
【図６】図６は、図２に示すインサートの外周刃近傍を拡大した説明図を示す。
【図７】図７は、図６に示すインサートのＢ−Ｂ断面図を示す。
【符号の説明】
【００１６】
１：刃先交換式仕上げ用ラジアスエンドミル
２：ホルダー部
３：インサート
４：止めネジ
５：ネジ穴
６：直刃形状切刃
Ｄ：工具直径
Ｈ：切刃稜線部から２番逃げの開始点までの距離
Ｌ１：直線状外周刃
Ｌ２：直線状内周刃
Ｒ１ａ：円弧状外周刃
Ｒ１ｂ：円弧状外周刃
Ｒ２：円弧状内周刃
ａ：最外周点
ｂ：Ｒ１ａ領域とＲ１ｂ領域との境界点
ｃ：最下点
ｄ：内周刃上の点
ｅ：工具回転軸と内周刃との交点
ｆ：円弧状外周刃の円弧中心点
ｇ：円弧状内周刃の円弧中心点
ｒ１：円弧状外周刃の円弧半径
ｒ２：円弧状内周刃の円弧半径
β：バックテーパ角
θ１：最下点ｃの接線と点ｄの接線とのなす角度
θ２：Ｒ１ｂの中心角
θ３：逃げ角
θ４：２番逃げ角
【図１】
2005319558.tif 000004
【図２】
2005319558.tif 000005
【図３】
2005319558.tif 000006
【図４】
2005319558.tif 000007
【図５】
2005319558.tif 000008
【図６】
2005319558.tif 000009
【図７】
2005319558.tif 000010